(57)【要約】      （修正有）【課題】第２の転写ローラを使用する事により、複数個の単色トナー像形成ユニット使用し、フルカラー画像を形成し、次いでこのカラー画像を転写材上の両面に転写させ、さらに同時両面定着する形式のカラー画像形成装置を提供する。【解決手段】中間転写体１の左右に単色トナー像形成ユニット１１４Ｙ，１１５Ｍ，１１６Ｃ，１１７Ｋを２個ずつ使用し、この状態で直接転写材に転写することにより二色専用機が出来、これを更に第２の中間転写ローラ１−１を使用し単色トナー像形成装置を複数個使用することによりフルカラー画像形成装置として両面転写及び両面同時定着を可能とする。上記装置は用途も多く、応用範囲も広く、最も早く、小型で且つ消費電力も少なく、安定した品質であるため、小型機から大判機までこの方法は可能である。【選択図】図５
2007058141.tif 000002
【特許請求の範囲】
【請求項１】
単体感光ドラム上に、光導電性層を特定極性に均一に帯電するために帯電ローラ〈コロナ帯電器でも良い〉、帯電された光導電性層にデジタル露光を行いデジタル情報に従った静電像を形成するためのＬＥＤ露光装置〈レーザーＲＯＳでもよい〉及び静電層に熱溶融性の色トナー粉末を付着させて単色画像を形成するための現像装置と転写材又はドラム状の中間転写体に色画像を転写した後次のトナー像形成のために光導電性層上に残存するトナー像を除去するためのクリーニング装置を配置した単色トナー像形成ユニットを中間転写体の上部左右に配置し下部には転写材上面〈表面〉が最終転写ローラ又は転写用コロナ帯電器により転写され二色トナー像をこの中間転写体を介し転写を行うことを特徴とする画像形成装置。
【請求項２】
前記画像形成装置二組を更に第２の中間転写ローラの上部左右に配置し下部には転写材が接し合計４色トナー像つまりフルカラー像をこの第２の中間転写ローラを介し転写を行うことを特徴とするフルカラー画像形成装置。
【請求項３】
単色感光ドラム上に、光導電性層を特定極性に均一に帯電するために帯電ローラ〈コロナ帯電器でも良い〉、帯電された光導電性層にデジタル露光を行いデジタル情報に従った静電像を形成するためのＬＥＤ露光装置〈レーザーＲＯＳでもよい〉及び静電層に熱溶融性の色トナー粉末を付着させて単色画像を形成するための現像装置と転写材又はドラム状の中間転写体に色画像を転写した後次のトナー像形成のために光導電性層上に残存するトナー像を除去するためのクリーニング装置を配置した単色トナー像形成ユニットを中間転写体の下部左右に配置し上部には転写材下面〈裏面〉が最終転写ローラ又は転写用コロナ帯電器により転写され二色トナー像をこの中間転写体を介し転写を行うことを特徴とする画像形成装置。
【請求項４】
前記画像形成装置二組を更に第２の中間転写ローラの下部左右に配置し上部には転写材が接し合計４色トナー像つまりフルカラー像をこの第２の中間転写ローラを介し転写を行うことを特徴とするフルカラー画像形成装置。
【請求項５】
前記装置の中間転写体の下に第２の中間転写ローラが接合され、この第２の中間転写ローラの下側に転写部材の上面〈表面〉が最終転写ローラ又は転写用コロナ帯電器により転写される。さらに前記装置の中間転写体上に第２の中間転写ローラが接合され、この第２の中間転写ローラ上に、上面〈表面〉転写済の転写部材の下面〈裏面〉が接し、この第２の中間転写ローラの対面にある転写用コロナ帯電器により、下面〈裏面〉に転写され、定着部で両面同時定着を行うことを特徴とするカラー画像形成装置。
【発明の詳細な説明】
【技術分野】
【０００１】本発明は、電子写真方式に適用した複写機、プリンター、ファクシミリ等の画像形成装置に関して、特に、シート材の両面に高品質、高能率、高速でそれぞれ画像形成を行うことが可能な画像形成装置に関する。
【背景技術】
【０００２】複写機、プリンター等の画像形成装置の一機種として、一枚のシート材の表裏両面に画像形成を行うことを可能とした装置が提案されている。公知例として、シート材の片面に画像を形成した後、装置内部に設けた中間トレイとよばれる表裏反転させるためのトレイ内に一時的に収容し、次いで適当なタイミングにより中間トレイからシート材を再給送させて、最初の画像を形成したと同じ画像形成部へと同じルートで送り、そこにおいて、シート材の異なる面に第２の画像を形成し、次いで画像形成装置外へと排出する構成よりなる。かかる装置では、多数の原稿を連続して両面にしかも異なる原稿をコピーやプリンターとして多数枚を高速で再生するような場合には、まず解決しなければならない幾つかの問題点を有している。【０００３】特に高速を目標とする装置として、特開平９−４３９１２号公報に開示されるように２つの画像形成手段を上下方向に配置させ、シート材の上面と下面とにそれぞれの画像形成手段を対向させてワンパスで両面コピーを形成する構成の画像形成装置が知られる。それぞれの画像形成手段の後段にはそれぞれ定着装置をゆうしており、トナー画像を形成した後それぞれ定着している。また、シート材の搬送経路は、略Ｕ字状となっている。【０００４】
【特許文献１】特開平７−７２７７７号公報
【特許文献２】特開平９−４３９１２号公報
【特許文献３】特開平１１−１７４７４４号公報
【特許文献４】特開平１１−１７４８７９号公報
【特許文献５】特開平１１−３２７２１８号公報
【特許文献６】特開平１１−３２７２１９号公報
【特許文献７】特開平１１−３２７２２０号公報
【特許文献８】特開２００２−３５７９４２号公報
【特許文献９】特願２００４−３０３５４９号公報
【発明の開示】
【発明が解決しようとする課題】
【０００５】上述のカラートナー像形成方法をもちいたカラー画像形成装置には、それぞれ以下の様な問題がある。【０００６】マルチパス方式はトナー像形成手段の数が少なく安価の装置となるがカラー画像の記録速度が遅くなる欠点がある。【０００７】また、ベルト状の転写材搬送装置においては、ベルトが駆動に伴い位置ズレをおこし各色のトナー像がずれて重ね合わせ転写されてしまう色ズレの問題を解決するために複雑な機械的構成や制御が必要となる欠点がある。【０００８】また、中間転写ローラを用いる方式においては色ズレの問題は少なくなるが中間転写ローラの周囲に配置する複数のトナー像形成手段がそれぞれ異なる形状となるため、装置の製造コストにおいて不利になる。【０００９】上述した特開２００２−３５７９４２号公報にみられる方式において４つのトナー像形成手段を同一構成とすることが可能である点は優れているように見えるが単色トナー像形成ユニットを中間転写体の片側上下に配置した為単体感光ドラム周辺に無理があり、装置の大きさ、コストの点で問題がある。【００１０】本発明は上述事情に鑑みてなされたものであり、色ズレの問題がなく、画像形成装置全体の小型化が可能でさらに画像形成に要する時間を短縮できる事のみならず、品質を向上させ、極めて安定したカラー画像形成装置を提供することを目的とするものである。
【課題を解決するための手段】
【００１１】上述の目的を達成するための請求項１に係る本発明は、トナー像形成ユニットが極めて理想的に構成されている。感光ドラム上に光導電性層を特定極性に均一に帯電するため帯電ローラ、帯電された光導電性層にデジタル露光を行いデジタル情報に従った静電像を形成するためのＬＥＤ露光装置をほぼ中央に、色トナー粉末を付着させて単色画像を形成するための現像装置を片側に、ドラム状の中間転写体に色画像を転写した後次のトナー像形成のために光導電性層上に残存するトナー像を除去するためのクリーニング装置を現像装置の逆片側に配置してある。つまり現像装置とクリーニング装置が感光ドラムの左右にある。このような構成から成る単色トナー像形成ユニットを中間転写体の上部左右に配置し、この中間転写体の下部には転写材上面〈表面〉が最終転写ローラにより転写され二色トナー像をこの中間転写体を介し転写を行うことを特徴とする画像形成装置。【００１２】請求項２に係る本発明は、前記画像形成装置二個を更に第２の中間転写ローラの上部左右に配置し下部には転写材が接し合計４色トナー像つまりフルカラー像をこの第２の中間転写ローラを介し転写を行うことを特徴とするフルカラー画像形成装置。【００１３】請求項３に係る本発明は、トナー像形成ユニットが極めて理想的に構成されている。感光ドラム上に光導電性層を特定極性に均一に帯電するため帯電ローラ、帯電された光導電性層にデジタル露光を行いデジタル情報に従った静電像を形成するためのＬＥＤ露光装置をほぼ中央に、色トナー粉末を付着させて単色画像を形成するための現像装置を片側に、ドラム状の中間転写体に色画像を転写した後次のトナー像形成のために光導電性層上に残存するトナー像を除去するためのクリーニング装置を現像装置の逆片側に配置してある。つまり現像装置とクリーニング装置が感光ドラムの左右にある。このような構成から成る単色トナー像形成ユニットを中間転写体の下部左右に配置し、此の中間転写体の上部には転写材下面〈裏面〉が最終転写ローラにより転写されたトナー像をこの中間転写体を介し転写をおこなうことを特徴とするフルカラー画像形成装置。【００１４】請求項４に係る本発明は、前記画像形成装置二個を更に第２の中間転写ローラの下部左右に配置し上部には転写材が接し合計４色トナーつまりフルカラー像をこの第２の中間転写ローラを介し転写を行うことを特徴とするフルカラー画像形成装置。【００１５】請求項５に係る本発明は、前記装置の中間転写体の下に第２の中間転写ローラが接合され、この第２の中間転写ローラの下側に転写部材の上面〈表面〉が最終転写ローラ又は転写用コロナ帯電器により転写される。さらに前記装置の中間転写体上に第２の中間転写ローラが接合され、この第２の中間転写ローラ上に、上面〈表面〉転写済の転写部材の下面〈裏面〉が接し、この第２の中間転写ローラの対面にある転写用コロナ帯電器により、下面〈裏面〉に転写され、定着部で両面同時定着を行うことを特徴とするカラー画像形成装置。
【発明の効果】
【００１６】請求項１に於いて、従来転写材に直接又は転写ベルトを中間転写体として単色単体トナー像形成ユニットを複数個使用したタンデム方式、あるいは中間転写体の片側上下に配置された方式はいずれも単色単体トナー像形成ユニットは共通化されているが、これらに比べて、単色トナー像形成ユニットを中間転写体の上部左右に配置され、下部には転写材の上面〈表面〉が最終転写ローラ又は転写用コロナ帯電器により転写されトナー像をこの中間転写体を介し転写を行う事を特徴とするために高速化する事が出来又は中間転写体の片側上下に配置する方法は現像装置を下側に配置すると、よほど感光体ドラムを大きくしない限り、上部に配置するしかなく、品質の安定が極めて難しく、その対応は高価となる。【００１７】請求項２に於いて、前記画像形成装置二組を更に第２の中間転写ローラ上部左右に配置し下部には転写材が接し合計４色トナー像つまりフルカラー像をこの第２の中間転写ローラを介し転写を行うことが出来各クリーニング装置は前記同様すべて感光体ドラムの左右いずれかに配置することが出来、此の中間転写体により転写材を無理なく水平に搬送する事が出来、その為極めて安定した品質を維持する事が出来る。【００１８】請求項３に於いて、従来転写材に直接又は転写ベルトを中間転写体として単色単体トナー像形成ユニットを複数個使用したタンデム方式、あるいは中間転写体の片側上下に配置された方法はいずれも単色単体トナー像形成ユニットは共通化されているが、これらに比べて単色トナー像形成ユニットを中間転写体の下部左右に配置され上部には転写材の下面〈裏面〉が最終転写ローラ又は転写用コロナ帯電器により転写されトナー像をこの中間転写体を介し転写を行う事を特徴とするために高速化する事が出来又は中間転写体の片側上下に配置する方法は現像装置を下側に配置すると、よほど感光ドラムを大きくしない限り、上部に配置するしかなく、品質の安定が極めて難しく、その対応は高価となる。【００１９】請求項４に於いて、前記画像形成装置二組を更に第２の中間転写ローラの下部左右に配置し上部には転写材が接し合計４色トナー像つまりフルカラー像をこの第２の中間転写ローラを介し転写を行うことが出来各クリーニング装置は前記同様すべて感光ドラムの左右いずれかに配置する事が出来、その為極めて安定した品質を維持する事が出来る。【００２０】請求項５に於いて、前記装置の中間転写体の下に第２の中間転写ローラが接合され、この第２の中間転写ローラの下側に転写部材の上面〈表面〉が最終転写ローラ又は転写用コロナ帯電器により転写される。さらに前記装置の中間転写体上に第２の中間転写ローラが接合され、この第２の中間転写ローラ上に、上面〈表面〉転写済の転写部材の下面〈裏面〉が接し、この第２の中間転写ローラの対面にある転写用コロナ帯電器により、下面〈裏面〉に転写され、定着部で両面同時定着を行うことを特徴とし、特に高速機用の小型機から大判機まで幅広く対応出来る装置である。
【発明を実施するための最良の形態】
【００２１】以下、図面に沿って、本発明の実施の形態について説明する。
【実施例１】
【００２２】図１は請求項１の実施例を提示する。単色トナー像形成ユニットを中間転写体の上部左右に配置し下部には転写材上面〈表面〉が最終転写ローラ又は転写用コロナ帯電器により転写され二色トナー像をこの中間転写体を介し転写を行う画像形成装置の概略構成を示す縦断面図である。【００２３】図１に示す単色トナー像形成ユニットは使用目的に応じ自由に選択する事が可能である。例えば左側をブラック、右側をシアンとして説明する。又説明の一部に於いて図２についての説明も含む。【００２４】単色トナー像形成ユニットはそれぞれ、トナー像形成体として光導電層を周囲に有する感光体ドラムを有する。【００２５】感光ドラム１１の周囲には光導電性層を特定極性に均一に帯電するために帯電ローラ〈コロナ帯電器でも良い〉１２、帯電された光導電層にデジタル露光を行いデジタル情報に従って静電像を形成するためのＬＥＤ露光装置１３、静電像に熱溶融性の色トナー粉末〈イエロー、マゼンダ、シアン、ブラック〉を付着させて単色画像を形成するための現像装置４Ｙ，５Ｍ，６Ｃ，７Ｋ、中間転写体に転写したのち次のトナー像形成のため光導電性層上に残留するトナーを除去するためのクリーニング装置１８を配置して有る。【００２６】前記単色トナー像形成ユニット１１４Ｙ，１１５Ｍ，１１６Ｃ，１１７Ｋは中間転写体１にそれぞれ形成するトナー像の色の相違だけで、同じ構造であり、図１により単色トナー像形成ユニット１１７Ｋを例にして詳細に説明する。【００２７】現像装置７Ｋ内に現像剤ブラックを収容し、感光ドラム１１上に形成された静電潜像を反転現像して、ブラック像を形成する手段である。しかしながら前記ＬＥＤ露光装置１３より感光ドラム上に静電潜像を反転し、中間転写体上で目的を達成されるが目的により正転、反転は容易である。本実施の形態の現像手段６Ｋ内に収容されているブラックトナーを、トナー供給部１５１より供給され、トナー供給ローラ１５２により攪拌平均化させ現像ローラ１６へ供給する。このとき、トナー量規制ローラ１５４により現像ローラ１６上のブラックトナーを均一の薄層とする。また公知である現像ローラ１６に対し、直流あるいはさらに交流を加えた現像バイアスが印加され、接地されている感光ドラム１１に対し、トナーと同極性の直流分と交流分との重畳したバイアスを印加して、非接触の反転現像がおこなわれる。また、非接触現像でなく、接触現像を用いることもできる。【００２８】クリーニング装置１８はブラックトナー像が中間転写体に転写された後に、感光ドラムに１１上に残留したトナーを、除去するための手段である。【００２９】単色トナー像形成ユニット１１７Ｋにより、ブラックトナー用として帯電、露光、現像の工程により形成された画像信号〈ブラック〉に対応したブラック像を中間転写体上に転写される。【００３０】次の段階において上記同様、単色トナー像形成ユニット１１６Ｃより、上記同様の工程によりシアン像が中間転写体に重ね合わされる。【００３１】下部には転写部材、通常紙またはフイルム等のシート物収納カセットが設けられ、給紙カセットＣＡ内に収納された転写紙Ｓは、給紙ローラＳ−１により、タイミングローラＳ−２へ送られる。タイミングローラＳ−２は、各単色トナー像形成ユニット１１７Ｋ及び１１６Ｃに形成されたトナー像と同期するように、転写紙Ｓを送り出す。【００３２】このように二色トナー像の転写を受けた転写紙Ｓは定着装置４０へ搬送される。定着装置４０において、加熱ローラ４１と加圧ローラ４２により加熱定着され、排紙ローラ４３により排出される。
【実施例２】
【００３２】図２は請求項２の実施例を提示する。前記画像形成装置二組を更に第２の中間転写ローラの上部左右に配置し下部には転写材が接し合計４色のトナー像つまりフルカラー像をこの第２の中間転写ローラを介し転写を行うことを特徴とするフルカラー画像形成装置である。本件の要点は転写材の上面〈表面〉にフルカラー像を転写することである。
【実施例３】
【００３３】図３は請求項３の実施例を提示する。請求項１との相違について説明すると請求項１の場合は転写材の上面〈表面〉に中間転写体を介し二色トナー像を転写を行うことであるのに対し、本件は転写材の下面〈裏面〉に二色トナー像を中間転写体を介し転写を行う為に単色トナー像形成ユニットを中間転写体の下部左右に配置し上部には転写材下面〈裏面〉が最終転写ローラにより転写される。
【実施例４】
【００３４】図４は請求項４の実施例を提示する。前記画像形成装置二組を更に第２の中間転写ローラの下部左右に配置し上部には転写材が接し合計４色トナー像つまりフルカラー像をこの第２の中間転写ローラを介し転写を行うことを特徴とするフルカラー画像形成装置である。本件の要点は転写材の下面〈裏面〉にフルカラー像を転写することである。
【実施例５】
【００３５】図５は請求項５の実施例を提示する。本件は前記請求項２〈図２〉、及び請求項４〈図４〉の合体したものである。請求項２において転写材の上面〈表面〉、請求項４においては転写材の下面〈裏面〉に各々フルカラー像を転写し次の工程に於いて両面〈表裏〉同時定着を可能にした概略構成を示す。また転写工程に於いて最初上面〈表面〉を下面〈裏面〉より先に行う事の方が有利で有るかは上面〈表面〉を転写後下面〈裏面〉転写を行う間は下面〈裏面〉に受け板等を設ける事が可能である。又次の工程において下面〈裏面〉転写を行い、下面〈裏面〉転写と定着装置の距離を近づけることにより、小型化され、周辺に出来るだけ熱の影響を与えなくする為に給紙経路を図５の水平より定着装置側を幾分上方向に上げると良い〈不図〉。【００３６】各感光ドラムに形成されたトナー像は、順次１〜２ＫＶの転写バイアス印加した中間転写体１上に転写され、トナー像が重ね合わされる。すべてのトナー像が重ね合わさると、中間転写体１上に、カラートナー像が形成される。【００３７】中間転写体上のカラートナー像はさらに第２の中間転写ローラ１−１に転写され、最終転写ロール１−２との圧接により転写紙Ｓに転写される。【００３８】感光ドラム１１は−８４０Ｖ程度のＤＣの電圧が印加され、これによって約−３００Ｖ程度に帯電され、また露光装置１３で静電潜像が書き込まれた際にその表面電位は約−６０Ｖ程度まで除電される。【００３９】現像装置には、ＡＣ＋ＤＣの現像電圧を印加して現像が実施されるが、この現像電圧はＡＣが４ｋＨｚ，１．６Ｖｐｐで、ＤＣが−２３０Ｖ程度である。【００４０】感光ドラム１１から中間転写体１にトナー像を転写するのに必要な表面電位は、通常＋２５０Ｖ〜５００Ｖ程度であり、トナーの帯電状態、雰囲気温度、湿度により最適を設定することができる。【００４１】第２の中間転写ローラ１−１も上記中間転写体１と同様に、金属パイプの上にシリコンゴム層を設け、更にその上に高離型層をコーテングして形成されており、その抵抗値については、通常１０８Ω〜１０１２Ωの範囲のものを使用できるが、ここでは１０１１Ω程度とされている。従って、中間転写体１から、この第２の中間転写ロール１−１にトナー像を転写するのに必要な表面電位は、通常＋６００Ｖ〜１２００Ｖ程度の範囲であり、トナーの帯電状態、雰囲気温度、湿度等により最適値を設定することができる。【００４２】最終転写ロール１−２は金属パイプ上にウレタンゴム層を設け、更にその上に樹脂コーテングが施されており、その抵抗値は１０５Ω〜１０８Ωの範囲のものを使用できるが、ここでは１０８Ω〈従って，第２の中間転写ローラ１−１よりも低抵抗に構成される〉程度とされている。そして、上記第２の中間転写ローラ１−１から転写部材Ｓ上にトナー像を転写するのに、この最終転写ロール１−２に印加する転写電圧は通常＋１２００Ｖ〜５０００Ｖ程度の範囲であり、雰囲気温、湿度、転写部材Ｓの種類〈抵抗値等〉等により、最適値を設定することになるが、ここでは定電流方式を採用するとして、通常常湿の環境下で約６μＡを印加し、ほぼ適正な最終転写電圧＋１６００Ｖ〜２０００Ｖ程度を得ている。【００４３】本図に於いて左側に、���写材は通常紙又はフイルム等のシート物収納カセットが設けられ、給紙カセットＣＡ内に収納された転写紙Ｓは、給紙ローラＳ−１により、タイミングローラＳ−２へ送られる。タイミングローラＳ−２は、中間転写体１、及び第２の中間転写ローラ１−１に形成されたカラートナー像と同期するように、転写紙Ｓを送り出す。【００４４】送り出された転写紙Ｓは転写位置で、最終転写ロール１−２により、中間転写体１上に形成されたカラートナー像を、第２の中間転写ローラ１−１を介し転写される。【００４５】上面〈表面〉画像形成装置Ａは、転写紙Ｓの上面〈表面〉にカラートナー像を転写する装置である。【００４６】上記上面〈表面〉画像形成装置Ａにより転写済の転写紙Ｓは、下面〈裏面〉画像形成装置Ｂにより下面〈裏面〉にカラートナー像を転写する。画像形成装置Ｂは要約すると転写紙Ｓの下面〈裏面〉にカラートナー像を転写する装置である。【００４７】上面〈表面〉画像形成装置Ａと、下面〈裏面〉画像形成装置Ｂは各々の中間転写体１、及び第２の中間転写ローラ１−１に形成されたカラートナー像と同期するように、転写紙Ｓを定着部４０へ搬送される。定着装置４０において、加熱ローラ４１と加圧ローラ４２により加熱圧着され、排紙ローラ４３により排出される。【００４８】上面〈表面〉画像形成装置Ａと下面〈裏面〉画像形成装置Ｂの第１の相違点は第２の中間転写ローラ１−１の位置が上面〈表面〉画像形成装置Ａの場合は中間転写ローラの下側にあり、下面〈裏面〉画像形成装置Ｂの場合は上側にある。
第２の相違点は、最終転写ロール１−２Ａ、１−２Ｂである。最初、上面〈表面〉画像形成装置Ａの第２の中間転写ローラと最終転写ロール１−２Ａの効果により転写紙Ｓの上面〈表面〉転写するが、下面〈裏面〉は、下面〈裏面〉画像形成装置Ｂの第２の中間転写ローラ１−１と最終転写ロール１−２Ｂの効果により、前工程に於いて既に上面〈表面〉転写済であるが、未定着状態の転写紙の下面〈裏面〉に転写を実施しなければならない為、転写用コロナ帯電器又は、転写面に接しないタイプの帯電ローラが良い。例えば転写紙の両サイドを可動可能な絶縁ローラで押さえながら転写する方法。〈不図〉
第３の相違点は、中間転写体用のクリーニングロール１０１−１は、上面〈表面〉画像形成装置Ａ及び下面〈裏面〉画像形成装置Ｂに於いて、各中間転写体１上のカラートナー像を第２の中間転写ローラ１−１へ転写後に中間転写体を効率良くクリーニングするため最適の場所に設定するため同じ位置にする必要はない。
【産業上の利用可能性】
【００４９】本発明は、カット紙、ロール紙等目的に応じて設定が出来、連続して両面瞬時転写及び両面同時定着を可能にした。従って従来の印刷業界に於いて印刷物を少量、短時間、低価格で行うことは極めてむずかしかった。しかしながら本発明は、特殊な印刷を除いて、大部分の印刷機がこの装置に置き換わるであろうと確信する。何故ならば、本発明の装置は、従来の印刷機が出来なかった少量から大量の印刷を短時間で、しかも低価格で、誰でも出来る事で、現代社会における情報化時代に即応出来ると確信する。
【図面の簡単な説明】
【００５０】
【図１】本発明のカラー画像形成装置其の１
【図２】本発明のカラー画像形成装置其の２
【図３】本発明のカラー画像形成装置其の３
【図４】本発明のカラー画像形成装置其の４
【図５】本発明のカラー画像形成装置其の５
【符号の説明】
【００５１】〈図１の符号〉
１                          中間転写体
１１６Ｃ                    単色トナー像形成ユニット〈シアン〉
１１７Ｋ                    単色トナー像形成ユニット〈ブラック〉
１１                        感光ドラム
１２                        帯電ローラ
１３Ｃ、１３Ｋ              ＬＥＤ露光装置
６Ｃ                        現像装置〈シアン〉
７Ｋ                        現像装置〈ブラック〉
１６                        現像ローラ
１５４                      トナー量規制ローラ
１５１                      トナー供給部
１５２                      トナー供給ローラ
１７                        クリーニング装置
４０                        定着装置
４１                        加熱ローラ
４２                        加圧ローラ
４３                        排紙ローラ
ＣＡ                        給紙カセット
Ｓ                          転写紙
Ｓ−１                      給紙ローラ
Ｓ−２                      タイミングローラ
１−２Ａ                    最終転写ロール
１０１−１                  クリーニングロール〈中間転写体用〉
〈図２の符号〉
１１４Ｙ                    単色トナー像形成ユニット〈イエロー〉
１１５Ｍ                    単色トナー像形成ユニット〈マゼンダ〉
１１６Ｃ                    単色トナー像形成ユニット〈シアン〉
１１７Ｋ                    単色トナー像形成ユニット〈ブラック〉
１                          中間転写体
１−１                      第２の中間転写ローラ
１−２Ａ                    最終転写ロール
４０                        定着装置
４１                        加熱ローラ
４２                        加圧ローラ
４３                        排紙ローラ
ＣＡ                        給紙カセット
Ｓ                          転写紙
Ｓ−１                      給紙ローラ
Ｓ−２                      タイミングローラ
１−２Ａ                    最終転写ロール
１０１−１                  クリーニングロール〈中間転写体用〉
１８１                      クリーニングロール〈第２の中間転写ローラ用〉
〈図３の符号〉
１                          中間転写体
Ｂ１１６Ｃ                  単色トナー像形成ユニット〈シアン〉
Ｂ１１７Ｋ                  単色トナー像形成ユニット〈ブラック〉
１１                        感光ドラム
１２                        帯電ローラ
１３Ｃ、１３Ｋ              ＬＥＤ露光装置
６Ｃ                        現像装置〈シアン〉
７Ｋ                        現像装置〈ブラック〉
１６                        現像ローラ
１５３                      トナー量規制ローラ
１５１                      トナー供給部
１５２                      トナー供給ローラ
１７                        クリーニング装置
４０                        定着装置
４１                        加熱ローラ
４２                        加圧ローラ
４３                        排紙ローラ
ＣＡ                        給紙カセット
Ｓ                          転写紙
Ｓ−１                      給紙ローラ
Ｓ−２                      タイミングローラ
１−２Ｂ                    最終転写ロール
１０１−１                  クリーニングロール〈中間転写体用〉
〈図４の符号〉
Ｂ１１４Ｙ                  単色トナー像形成ユニット〈イエロー〉
Ｂ１１５Ｍ                  単色トナー像形成ユニット〈マゼンダ〉
Ｂ１１６Ｃ                  単色トナー像形成ユニット〈シアン〉
Ｂ１１７Ｋ                  単色トナー像形成ユニット〈ブラック〉
１                          中間転写体
１−１                      第２の中間転写ローラ
１−２Ｂ                    最終転写ロール
４０                        定着装置
４１                        加熱ローラ
４２                        加圧ローラ
４３                        排紙ローラ
ＣＡ                        給紙カセット
Ｓ                          転写紙
Ｓ−１                      給紙ローラ
Ｓ−２                      タイミングローラ
１−２Ｂ                    最終転写ローラ
１０１−１                  クリーニングロール〈中間転写体用〉
１８１                      クリーニングロール〈第２の中間転写ローラ用〉
〈図５の符号〉
Ａ                          上面〈表面〉画像形成装置Ａ
１１４Ｙ                    単色トナー像形成ユニット〈イエロー〉
１１５Ｍ                    単色トナー像形成ユニット〈マゼンダ〉
１１６Ｃ                    単色トナー像形成ユニット〈シアン〉
１１７Ｋ                    単色トナー像形成ユニット〈ブラック〉
１                          中間転写体
１−１                      第２の中間転写ローラ
１−２Ａ                    最終転写ロール
１０１−１                  クリーニングローラ〈中間転写体用〉
１８１                      クリーニングローラ〈第２の中間転写ローラ用〉
Ｂ                          下面〈裏面〉画像形成装置Ｂ
Ｂ１１４Ｙ                  単色トナー像形成ユニット〈イエロー〉
Ｂ１１５Ｍ                  単色トナー像形成ユニット〈マゼンダ〉
Ｂ１１６Ｃ                  単色トナー像形成ユニット〈シアン〉
Ｂ１１７Ｋ                  単色トナー像形成ユニット〈ブラック〉
１−２Ｂ                    最終転写ロール
４０                        定着装置
４１                        加熱ローラ
４２                        加圧ローラ
４３                        排紙ローラ
ＣＡ                        給紙カセット
Ｓ                          転写紙
Ｓ−１                      給紙ローラ
Ｓ−２                      タイミングローラ
１−２Ｂ                    最終転写ロール
１０１−１                  クリーニングロール〈中間転写体用〉
１８１                      クリーニングロール〈第２の中間転写ローラ用〉
【図１】
2007058141.tif 000003
【図２】
2007058141.tif 000004
【図３】
2007058141.tif 000005
【図４】
2007058141.tif 000006
【図５】
2007058141.tif 000007